(57)【特許請求の範囲】
【請求項１】
下段横架材、該下段横架材の上に互いに対向するように立設された一対の柱及び該各柱の柱頭に架け渡された上段横架材からなる木造軸組内にガラスブロック壁体を配置するとともに、該ガラスブロック壁体を、複数のガラスブロックを積み上げて構成したガラスブロック耐力壁であって、前記下段横架材の上面、前記一対の柱の対向側面及び前記上段横架材の下面にそれらの材軸に沿って延びるように寸法調整部材をそれぞれ接着するとともに、該寸法調整部材の軸組構面側を前記ガラスブロック壁体の周縁側部に接着したことを特徴とするガラスブロック耐力壁。
【請求項２】
下段横架材、該下段横架材の上に互いに対向するように立設された一対の柱及び該各柱の柱頭に架け渡された上段横架材からなる木造軸組内であって天井高さにて前記一対の柱間に架け渡された中段横架材の下方空間にガラスブロック壁体を配置するとともに、該ガラスブロック壁体を、複数のガラスブロックを積み上げて構成したガラスブロック耐力壁であって、前記下段横架材の上面、前記一対の柱の対向側面及び前記中段横架材の下面にそれらの材軸に沿って延びるように寸法調整部材をそれぞれ接着するとともに、該寸法調整部材の軸組構面側を前記ガラスブロック壁体の周縁側部に接着したことを特徴とするガラスブロック耐力壁。
【請求項３】
前記複数のガラスブロックのうち、２以上のガラスブロックをステンレス帯板で巻回してガラスブロックパネルを構成するとともに、該ガラスブロックパネルを複数組み合わせて前記ガラスブロック壁体を構成し、前記ガラスブロックパネルのうち、上下段に位置するガラスブロックパネルを、それらの間にスペーサが挟み込まれた状態で相互に接着した請求項１又は請求項２記載のガラスブロック耐力壁。
【請求項４】
下段横架材と、該下段横架材の上に互いに対向するように立設された一対の柱と、該各柱の柱頭に架け渡された上段横架材と、前記下段横架材、前記一対の柱及び前記上段横架材からなる木造軸組内に複数のガラスブロックを嵌め込んでなるガラスブロック壁体と、前記下段横架材の上面、前記一対の柱の対向側面及び前記上段横架材の下面に所定の接着剤を用いてそれぞれ接着された寸法調整部材とからなり、前記ガラスブロック壁体の周縁側部を前記寸法調整部材の軸組構面側に所定の接着剤を用いて接着するとともに、前記寸法調整部材を、コの字断面に形成された突条体の両側方縁部から該突条体の内法幅が拡がるようにテーパー部をそれぞれ延設し、前記突条体の両側面に対してそれぞれ直角となるように前記各テーパー部の縁部から脚部をそれぞれ延設してなる鋼材で構成したことを特徴とするガラスブロック耐力壁。
【請求項５】
下段横架材と、該下段横架材の上に互いに対向するように立設された一対の柱と、該各柱の柱頭に架け渡された上段横架材と、天井高さにて前記一対の柱間に架け渡された中段横架材と、前記下段横架材、前記一対の柱及び前記上段横架材からなる木造軸組内であって前記中段横架材の下方空間にのみ複数のガラスブロックを嵌め込んでなるガラスブロック壁体と、前記下段横架材の上面、前記一対の柱の対向側面及び前記中段横架材の下面に所定の接着剤を用いてそれぞれ接着された寸法調整部材とからなり、前記ガラスブロック壁体の周縁側部を前記寸法調整部材の軸組構面側に所定の接着剤を用いて接着するとともに、前記寸法調整部材を、コの字断面に形成された突条体の両側方縁部から該突条体の内法幅が拡がるようにテーパー部をそれぞれ延設し、前記突条体の両側面に対してそれぞれ直角となるように前記各テーパー部の縁部から脚部をそれぞれ延設してなる鋼材で構成したことを特徴とするガラスブロック耐力壁。
【請求項６】
請求項１乃至請求項５のいずれか一記載の寸法調整部材のうち、前記下段横架材に接着した寸法調整部材の上端が居室内の床近傍に設けられる巾木の高さ位置に揃うように該寸法調整部材を構成したことを特徴とするガラスブロック耐力壁を用いた壁構造。
【発明の詳細な説明】
【技術分野】
【０００１】
本発明は、主としてリフォーム工事の際に用いられるガラスブロック耐力壁及びそれを用いた耐力壁構造に関する。
【背景技術】
【０００２】
住宅においては、家族構成の変動や生活指向の変化等に伴い、新築当時の間取りや開口を変更するリフォームが行われるとともに、かかるリフォームに伴って耐震補強が行われることが多いが、居住性という観点では、採光をより多く確保するためのリフォームが行われることも少なくない。
【０００３】
特に、古い住宅では、玄関廻りや廊下などに開口がなく、人工照明がないと昼間でも薄暗い、あるいはキッチンやリビングの開口が小さいために十分な自然採光を望めないといったといった場合があり、かかる場合には、あらたな開口を設け、あるいは開口を拡げて十分な自然採光を確保したいというニーズが生じる。
【０００４】
かかるニーズに応えるためには、例えばリビングと廊下とを隔てる壁をガラスブロックを用いた壁に変更したり、キッチンやリビングの外壁をガラスブロックを用いた壁に変更したりといったリフォーム工事を行うことになる。
【０００５】
ところが、ガラスブロックは、材料的には脆性材料であり、旧来の考え方では、耐力壁にはなり得ない。したがって、元の壁を撤去すると、それらを含んでいた柱梁架構の水平剛性が低下してしまうため、ガラスブロックの使用にはおのずと限度があった。
【０００６】
一方、ガラスブロックは、採光性もさることながら、住宅デザインとしては魅力的な建築材料であるため、ガラスブロックを用いた耐力壁あるいは耐震壁ができないものか、その研究開発が行われるようになってきた。
【０００７】
【特許文献１】特開２００６−９４３０
【特許文献２】特開平５−２３０８９９
【非特許文献１】「ガラスブロック耐震壁の耐震性能に関する実験」、日本建築学会大会学術講演梗概集（２００４年８月）
【非特許文献２】「住宅デザインと木構造」、飯塚五郎蔵著、丸善株式会社発行
【発明の開示】
【発明が解決しようとする課題】
【０００８】
上述した従来のガラスブロック耐震壁は、耐震壁としての機能を力学的に検証したものであり、その意味で将来的にガラスブロックを耐震壁として使用できる可能性を示唆したものであると云えよう。
【０００９】
しかしながら、特許文献１あるいは非特許文献１に記載されたガラスブロック耐震壁は、ガラスブロック壁体そのものの開示に終始しているにすぎず、例えば木造軸組工法の住宅にどのように適用すればよいのか、あるいは木造軸組に組み込んだときに耐力壁として要求される性能を満たすのかどうかについては全く不明であり、建築構造部材である耐力壁として用いるには、さらなる研究開発が必要であるという問題を生じていた。
【００１０】
加えて、同文献記載のガラスブロック耐震壁は、厚さ２ｃｍのフラットバー（平鋼）を溶接によって格子状に組んで格子状枠体とし、その格子空間に複数のガラスブロックをそれぞれ嵌め込んでいくとともに、補強用鉄筋をも併用するものであるため、建築構造部材として用いるには経済性や施工性の観点で難があるという問題も生じていた。
【課題を解決するための手段】
【００１１】
本発明は、上述した事情を考慮してなされたもので、建築構造部材として実際に用いることが可能でかつ耐力壁として必要な性能を満たすガラスブロック耐力壁及びそれを用いた耐力壁構造を提供することを目的とする。
【００１２】
上記目的を達成するため、本発明に係るガラスブロック耐力壁は請求項１に記載したように、下段横架材、該下段横架材の上に互いに対向するように立設された一対の柱及び該各柱の柱頭に架け渡された上段横架材からなる木造軸組内にガラスブロック壁体を配置するとともに、該ガラスブロック壁体を、複数のガラスブロックを積み上げて構成したガラスブロック耐力壁であって、前記下段横架材の上面、前記一対の柱の対向側面及び前記上段横架材の下面にそれらの材軸に沿って延びるように寸法調整部材をそれぞれ接着するとともに、該寸法調整部材の軸組構面側を前記ガラスブロック壁体の周縁側部に接着したものである。
【００１３】
また、本発明に係るガラスブロック耐力壁は請求項２に記載したように、下段横架材、該下段横架材の上に互いに対向するように立設された一対の柱及び該各柱の柱頭に架け渡された上段横架材からなる木造軸組内であって天井高さにて前記一対の柱間に架け渡された中段横架材の下方空間にガラスブロック壁体を配置するとともに、該ガラスブロック壁体を、複数のガラスブロックを積み上げて構成したガラスブロック耐力壁であって、前記下段横架材の上面、前記一対の柱の対向側面及び前記中段横架材の下面にそれらの材軸に沿って延びるように寸法調整部材をそれぞれ接着するとともに、該寸法調整部材の軸組構面側を前記ガラスブロック壁体の周縁側部に接着したものである。
【００１４】
また、本発明に係るガラスブロック耐力壁は請求項３に記載したように、前記複数のガラスブロックのうち、２以上のガラスブロックをステンレス帯板で巻回してガラスブロックパネルを構成するとともに、該ガラスブロックパネルを複数組み合わせて前記ガラスブロック壁体を構成し、前記ガラスブロックパネルのうち、上下段に位置するガラスブロックパネルを、それらの間にスペーサが挟み込まれた状態で相互に接着したものである。
【００１５】
また、本発明に係るガラスブロック耐力壁は請求項４に記載したように、下段横架材と、該下段横架材の上に互いに対向するように立設された一対の柱と、該各柱の柱頭に架け渡された上段横架材と、前記下段横架材、前記一対の柱及び前記上段横架材からなる木造軸組内に複数のガラスブロックを嵌め込んでなるガラスブロック壁体と、前記下段横架材の上面、前記一対の柱の対向側面及び前記上段横架材の下面に所定の接着剤を用いてそれぞれ接着された寸法調整部材とからなり、前記ガラスブロック壁体の周縁側部を前記寸法調整部材の軸組構面側に所定の接着剤を用いて接着するとともに、前記寸法調整部材を、コの字断面に形成された突条体の両側方縁部から該突条体の内法幅が拡がるようにテーパー部をそれぞれ延設し、前記突条体の両側面に対してそれぞれ直角となるように前記各テーパー部の縁部から脚部をそれぞれ延設してなる鋼材で構成したものである。
また、本発明に係るガラスブロック耐力壁は請求項５に記載したように、下段横架材と、該下段横架材の上に互いに対向するように立設された一対の柱と、該各柱の柱頭に架け渡された上段横架材と、天井高さにて前記一対の柱間に架け渡された中段横架材と、前記下段横架材、前記一対の柱及び前記上段横架材からなる木造軸組内であって前記中段横架材の下方空間にのみ複数のガラスブロックを嵌め込んでなるガラスブロック壁体と、前記下段横架材の上面、前記一対の柱の対向側面及び前記中段横架材の下面に所定の接着剤を用いてそれぞれ接着された寸法調整部材とからなり、前記ガラスブロック壁体の周縁側部を前記寸法調整部材の軸組構面側に所定の接着剤を用いて接着するとともに、前記寸法調整部材を、コの字断面に形成された突条体の両側方縁部から該突条体の内法幅が拡がるようにテーパー部をそれぞれ延設し、前記突条体の両側面に対してそれぞれ直角となるように前記各テーパー部の縁部から脚部をそれぞれ延設してなる鋼材で構成したものである。
【００１６】
また、本発明に係るガラスブロック耐力壁を用いた耐力壁構造は請求項６に記載したように、請求項１乃至請求項５のいずれか一記載の寸法調整部材のうち、前記下段横架材に接着した寸法調整部材の上端が居室内の床近傍に設けられる巾木の高さ位置に揃うように該寸法調整部材を構成したものである。
【００１７】
参考発明に係るガラスブロック耐力壁においては、複数のガラスブロックが木造軸組内に嵌め込まれてなるガラスブロック壁体を木造軸組に接合するに際し、ガラスブロック壁体の周縁側部を、土台、胴差し、梁等の下段横架材の上面、一対の柱の対向側面及び胴差し、梁等の上段横架材の下面に所定の接着剤を用いてそれぞれ接着してある。
【００１８】
このようにすると、木造軸組はガラスブロック壁体と一体となり、大きなせん断抵抗を発揮して耐力壁として用いることが可能となる。
【００１９】
また、第１の発明に係るガラスブロック耐力壁においては、土台、胴差し、梁等の下段横架材の上面、一対の柱の対向側面及び胴差し、梁等の上段横架材の下面にそれらの材軸に沿って延びるように寸法調整部材をそれぞれ接着するとともに、該寸法調整部材の軸組構面側をガラスブロック壁体の周縁側部に接着してある。
【００２０】
このようにすると、木造軸組はガラスブロック壁体と一体となり、大きなせん断抵抗を発揮して耐力壁として用いることが可能となる。
【００２１】
加えて、ガラスブロック壁体と木造軸組との間に寸法調整部材を介在させることにより、ガラスブロック壁体の高さ位置を自由に設定することができるとともに、ガラスブロック壁体の幅や高さが木造軸組の内法寸法と一致しない場合であっても、ガラスブロック壁体と木造軸組とを強固に接合することが可能となる。そのため、建物に合わせてガラスブロックを特注する必要はなく、市販のガラスブロックを使用することが可能となる。
【００２２】
また、第２の発明に係るガラスブロック耐力壁においては、土台、胴差し、梁等の下段横架材の上面、一対の柱の対向側面及び中段横架材の下面にそれらの材軸に沿って延びるように寸法調整部材をそれぞれ接着するとともに、該寸法調整部材の軸組構面側をガラスブロック壁体の周縁側部に接着してある。
【００２３】
このようにすると、木造軸組はガラスブロック壁体と一体となり、大きなせん断抵抗を発揮して耐力壁として用いることが可能となる。
【００２４】
加えて、ガラスブロック壁体と、下段横架材、一対の柱及び中段横架材との間に寸法調整部材を介在させることにより、ガラスブロック壁体の高さ位置を自由に設定することができるとともに、ガラスブロック壁体の幅や高さが、柱間の内法寸法や下段横架材上面から中段横架材下面までの寸法と一致しない場合であっても、ガラスブロック壁体と木造軸組とを強固に接合することが可能となる。そのため、建物に合わせてガラスブロックを特注する必要はなく、市販のガラスブロックを使用することが可能となる。
【００２５】
なお、上述の各発明において、下段横架材の上面とは、必ずしも下段横架材そのものの上面だけを指すのではなく、施工の便宜上、当て板や受け材が下段横架材の上に取り付けられる場合、その当て板や受け材の上面をも含むものとする。柱、上段横架材、中段横架材についても同様とする。
【００２６】
ガラスブロックは、採光とデザインを目的とした建築要素として広く使用されてきたが、材質的には脆性材料であるため、従来は、あくまで非構造要素として取り扱われてきた。
【００２７】
そのような背景下、最近、ガラスブロックを耐震壁ないしは耐力壁として使用することができないかという試みがなされるようになってきたことは背景技術で述べた通りである。
【００２８】
しかしながら、このような試みはガラスブロック壁体自体の構成やその強度特性を研究するにとどまっており、実際の建物にいかにして適用するのか、あるいは適用したとして、どの程度の耐力を期待できるのかというところまで踏み込まれていないのが現状である。
【００２９】
そこで、本出願人は、接着剤を用いて木造軸組とその内側のガラスブロック壁体とを接着することに着眼し、数多くの実験を重ねた結果、壁倍率換算で３．５４という驚くべき数値を実現することに成功したものである。
【００３０】
接着剤は、市販されている任意の接着剤から適宜選択することができるが、特にエポキシ樹脂接着剤が適しており、例えば日本シーカ株式会社から「シーカデュア３０」の商品名で市販されている二液混合型エポキシ樹脂接着剤を使用することができる。かかる接着剤は、粘性が高く液だれしないので作業性がよい、冬期以外であれば３日で最終強度の９０％程度まで強度が発現する、混練ラティチュードが広いので多少の混練不足でも不具合は生じない等の長所がある。
【００３１】
ガラスブロック壁体は、市販されているガラスブロックを公知の方法で積み上げて構成すればよく、特にガラスブロックをパネル化したものを用いると施工時の作業性が向上する。具体的には、日本電気硝子株式会社から「ハウスパネル」の商品名で市販されているものを採用することが考えられる。
【００３２】
なお、このようなパネル化された市販品を用いる場合であっても、せん断力が確実に伝達されるよう、パネル化されたガラスブロック同士を必要に応じてスペーサを挟んだ上、所定の接着剤で相互に接着する。
例えば、前記複数のガラスブロックのうち、２以上のガラスブロックをステンレス帯板で巻回してガラスブロックパネルを構成するとともに、該ガラスブロックパネルを複数組み合わせて前記ガラスブロック壁体を構成し、前記ガラスブロックパネルのうち、上下段に位置するガラスブロックパネルを、それらの間にスペーサが挟み込まれた状態で相互に接着した構成とすることができる。
【００３３】
寸法調整部材は、ガラスブロック壁体の高さ位置を自由に設定することが可能で、ガラスブロック壁体の幅や高さが木造軸組の内法寸法（第２の発明においては、高さ方向の内法寸法は、下段横架材の上面から中段横架材の下面までの寸法）と一致しない場合であっても、ガラスブロック壁体と木造軸組とを強固に接合することが可能である限り、どのように構成するかは任意であり、例えば、Ｌ型断面を有する鋼材（アングル）や、凸状断面を有するように折曲げ形成した鋼材を使用することが可能である。
【００３４】
ここで、寸法調整部材を、コの字断面に形成された突条体の両側方縁部から該突条体の内法幅が拡がるようにテーパー部をそれぞれ延設し、突条体の両側面に対してそれぞれ直角となるように、各テーパー部の縁部から脚部をそれぞれ延設してなる鋼材で構成したならば、テーパー部と突条体との弾性変形によって、数ｍｍ程度の誤差を吸収することが可能となる。
【００３５】
また、上述した寸法調整部材のうち、下段横架材に接着した寸法調整部材の上端が居室内の床近傍に設けられる巾木の高さ位置に揃うように該寸法調整部材を構成したならば、巾木の高さとガラスブロックの目地とが揃うこととなり、優れた美観を確保することが可能となる。
【発明を実施するための最良の形態】
【００３６】
以下、本発明に係るガラスブロック耐力壁及びそれを用いた壁構造の実施の形態について、添付図面を参照して説明する。なお、従来技術と実質的に同一の部品等については同一の符号を付してその説明を省略する。
【００３７】
図１は、本実施形態に係るガラスブロック耐力壁を示した図である。同図でわかるように、本実施形態に係るガラスブロック耐力壁１は、下段横架材である土台２と、該土台の上に互いに対向するように立設された一対の柱３，３（左側の柱３，３と右側の柱３，３で二組の対を構成し、中央の柱３は共通）と、該各柱の柱頭に架け渡された上段横架材としての胴差し４と、天井高さにて一対の柱３，３の間に架け渡された中段横架材５と、土台２、一対の柱３，３及び胴差し４からなる木造軸組内であって中段横架材５の下方空間にのみ複数のガラスブロックを嵌め込んでなるガラスブロック壁体６とを備える。
【００３８】
ガラスブロック壁体６は、ガラスブロック７を５列３段に組んでパネル化したガラスブロックパネル８を５段積みにして構成してあり、ガラスブロックパネル８は、例えば日本電気硝子株式会社から「ハウスパネル」の商品名で市販されているシリーズのうち、品種ＨＰＭ−５３を用いることができる。
【００３９】
ガラスブロック７は、例えば１００〜１５０ｍｍ角で厚さ５０〜１００ｍｍ程度のものを用いることができる。
【００４０】
ここで、ガラスブロックパネル８は図２に示すように、計１５個のガラスブロック７の周縁側部をステンレス帯板２１で巻回することでパネル化してあるが、上下段に位置するガラスブロックパネル８，８は同図でわかるように、下段に位置するガラスブロックパネル８の上面に巻回されたステンレス帯板２１にエポキシ樹脂接着剤２３を塗布するとともに、上段に位置するガラスブロックパネル８の下面に巻回されたステンレス帯板２１にエポキシ樹脂接着剤２３を塗布し、両面にエポキシ樹脂接着剤２３が塗布されたスペーサ２２を挟み込んだ状態で相互に接着してある。なお、ガラスブロックパネル８同士を接着した後は、同図(b)に示すようにモルタル２４で目地を処理しておく。
【００４１】
エポキシ樹脂接着剤２３は、例えば日本シーカ株式会社から「シーカデュア３０」の商品名で市販されている二液混合型エポキシ樹脂接着剤を使用することができる。かかる接着剤は、粘性が高く液だれしないので作業性がよい、冬期以外であれば３日で最終強度の９０％程度まで強度が発現する、混練ラティチュードが広いので多少の混練不足でも不具合は生じない等の長所がある。
【００４２】
スペーサ２２は、ガラスブロックパネル８を構成するガラスブロック７同士の目地幅と同様の目地幅を確保する役目を果たすだけではなく、上下段に配置されたガラスブロックパネル８，８の間でせん断力を伝達する機能も担っており、それゆえ、スペーサ２２は、上述したせん断力が確実に伝達されるよう、その材質を適宜選択する。例えば硬質プラスチックを採用するのがよい。
【００４３】
一方、図１及び図３に示したように、土台２の上面に下部受け材９をエポキシ樹脂接着剤２３で接着してあるとともに、該下部受け材の上面には接着剤であるエポキシ系接着剤２３を用いて寸法調整部材３１ａを接着してある。
【００４４】
寸法調整部材３１ａは図４に示すように、コの字断面に形成された突条体３２ａの両側方縁部からそれぞれ直角に脚部３３ａ，３３ａを延設した鋼材で構成してあり、製造にあたっては、例えば板状の鋼板を折曲げ加工すればよい。
【００４５】
寸法調整部材３１ａは、脚部３３ａ，３３ａに穿孔されたネジ孔（図示せず）にラグスクリュー３４を挿通した上、下部受け材９にねじ込んで仮止めとし、エポキシ系接着剤２３によって該下部受け材に接着してある。
【００４６】
また、寸法調整部材３１ａは、その突条体３２の凸面、言い換えれば寸法調整部材３１ａの軸組構面側と最下段のガラスブロックパネル８のステンレス帯板２１、言い換えればガラスブロック壁体６の周縁側部に塗布されたエポキシ系接着剤２３によってガラスブロック壁体６に接着してある。
【００４７】
寸法調整部材３１ａは、突条体３２の幅をステンレス帯板２１と同等にするのが望ましい。
【００４８】
ここで、土台２の室内側側面に取り付けられた根太受け４１に根太４２を架け渡し、その上に床板４３を敷設してあるとともに、床板４３の壁際には化粧材である巾木４４を取り付けてあるが、寸法調整部材３１ａは、目地幅だけを残した状態でその上端が巾木４４の高さ位置に揃うように構成してある。なお、巾木４４の背面に裏板４５をあてがった上、モルタル４６で目地の処理をしておく。
【００４９】
このように構成された寸法調整部材３１ａの高さは、巾木４４の高さ、床板４３の厚さ、根太４２の成にもよるが、例えば３０〜４５ｍｍの範囲となる。
【００５０】
また、図１及び図５に示したように、柱３，３の対向側面にエポキシ系接着剤２３を用いて寸法調整部材３１ｂを接着してある。
【００５１】
寸法調整部材３１ｂは図５に示すように、コの字断面に形成された突条体５２の両側方縁部から該突条体の内法幅が拡がるようにテーパー部５４，５４をそれぞれ延設し、突条体５２の両側面に対してそれぞれ直角となるように各テーパー部５４，５４の縁部から脚部５３ｂ，５３ｂをそれぞれ延設した鋼材で構成してあり、製造にあたっては、例えば板状の鋼板を折曲げ加工すればよい。
【００５２】
寸法調整部材３１ｂは、脚部５３ｂ，５３ｂに穿孔されたネジ孔（図示せず）にラグスクリュー３４を挿通した上、柱３にねじ込んで仮止めとし、エポキシ系接着剤２３によって該柱に接着してある。
【００５３】
寸法調整部材３１ｂは、その突条体５２の凸面、言い換えれば寸法調整部材３１ｂの軸組構面側とガラスブロックパネル８のステンレス帯板２１、言い換えればガラスブロック壁体６の周縁側部に塗布されたエポキシ系接着剤２３によってガラスブロック壁体６に接着してある。なお、寸法調整部材３１ｂが美観上、露出しないよう、化粧材５５を脚部５３ｂと突条体５２の側面にあてがい、モルタル５６で目地の処理をしておく。
【００５４】
また、図１及び図６に示したように、中段横架材５の下面にエポキシ系接着剤２３を用いて寸法調整部材３１ａを接着してある。
【００５５】
寸法調整部材３１ａは既に説明したので、詳細な説明は省略するが、中段横架材５の箇所においては、脚部３３ａ，３３ａに穿孔されたネジ孔（図示せず）にラグスクリュー３４を挿通した上、中段横架材５にねじ込んで仮止めとし、エポキシ系接着剤２３によって該中段横架材に接着してある。
【００５６】
寸法調整部材３１ａは、その突条体３２の凸面、言い換えれば寸法調整部材３１ａの軸組構面側と最上段のガラスブロックパネル８のステンレス帯板２１、言い換えればガラスブロック壁体６の周縁側部に塗布されたエポキシ系接着剤２３によってガラスブロック壁体６に接着してある。
【００５７】
なお、中段横架材５は、釘を斜め打ちすることで柱３に固定するとともに、該中段横架材の浮き上がりを防止するため、押さえ材１０を胴差し４と中段横架材５との間に差し込み、柱３に固定しておく。
【００５８】
ここで、上下で対向する寸法調整部材３１ａ，３１ａは、ガラスブロック壁体６の高さに一致するように構成しておくとともに、左右で対向する寸法調整部材３１ｂ，３１ｂは、ガラスブロック壁体６の幅に一致するように構成しておく。
【００５９】
本実施形態に係るガラスブロック耐力壁１を施工するには、まず、寸法調整部材３１ａを下部受け材９に接着するとともに、寸法調整部材３１ｂ，３１ｂを柱３，３の対向側面に接着し、次いで、ガラスブロックパネル８を一段ずつ木造軸組内に入れてその周縁側部を寸法調整部材３１ａ及び寸法調整部材３１ｂに接着するとともに、上下段のガラスブロックパネル８，８についてはスペーサ２２で目地幅を確保しながらエポキシ樹脂接着剤２３で相互に接着し、最上段のガラスブロックパネル８の三方の接着が終了したならば、予め寸法調整部材３１ａを先付けしておいた中段横架材５を該寸法調整部材が下になるように木造軸組内に落とし込み、寸法調整部材３１ａと中段横架材５とを接着した後、中段横架材５を柱に釘止めするとともに、押さえ材１０で中段横架材５の浮き上がるを防止する。
【００６０】
以上説明したように、本実施形態に係るガラスブロック耐力壁１によれば、土台２の下部受け材９の上面、一対の柱３，３の対向側面及び中段横架材５の下面にエポキシ系接着剤２３を用いてそれぞれ寸法調整部材３１ａ，３１ｂを接着するとともに、ガラスブロック壁体６の周縁側部を寸法調整部材３１ａ，３１ｂの軸組構面側にエポキシ系接着剤２３を用いて接着するようにしたので、木造軸組はガラスブロック壁体６と一体となり、大きなせん断抵抗を発揮して耐力壁として用いることが可能となる。
【００６１】
具体的には後述するように、最も安全側で評価した場合でも、壁倍率換算で３．５４となる。ちなみに、耐力壁に用いる耐力面材としては、構造用合板、パーティクルボード、ハードボード 、硬質木片セメント板、フレキシブル板、石綿パーライト板、石綿けい酸カルシウム板、炭酸マグネシウム板、パルプセメント板、石膏ボードなど数多くの種類があり、パーティクルボードは、構造用合板と同様に２．５、ハードボード（硬質繊維板）・硬質木片セメント板（木片セメント板）・フレキシブル板（石綿スレート板）・石綿パーライト板・石綿けい酸カルシウム板・炭酸マグネシウム板などは２と定められている。
【００６２】
これらを両面で使った場合の壁倍率は上限である５から４の範囲となるため、本実施形態に係るガラスブロック耐力壁の壁倍率に大きな遜色はなく、採光を確保できる点を考慮すれば、むしろ従来の耐力壁に勝るとも劣らないものと云える。
【００６３】
そのため、従来であれば、壁量が不足するために構造用合板などを用いた耐力壁を使用せざるを得ないような状況であっても、それに代えて、本実施形態に係るガラスブロック耐力壁１を使用し、採光を確保しながら耐震性を概ね維持することが可能となる。ちなみに、従来、間仕切り壁であった箇所を本実施形態に係るガラスブロック耐力壁１に代えれば、採光を確保するとともに壁量を増加させて耐震性を高めることもできる。
【００６４】
その結果、必要壁量の確保が容易になり、設計の自由度が大幅に高まる。
【００６５】
なお、本実施形態に係るガラスブロック耐力壁１は、その使用部位は任意であり、従来、薄暗くなりがちであった廊下の間仕切り壁や、玄関ホールとリビングを隔てる間仕切り壁をはじめ、リビングやダイニングの外壁を構成する耐力壁にも適用することができる。
【００６６】
また、本実施形態に係るガラスブロック耐力壁１によれば、ガラスブロック壁体６と、土台２、一対の柱３，３及び中段横架材５との間に寸法調整部材３１ａ，３１ｂを介在させることにより、ガラスブロック壁体６の高さ位置を自由に設定することができるとともに、ガラスブロック壁体６の幅や高さが、柱３，３間の内法寸法や土台２の上面から中段横架材５の下面までの寸法と一致しない場合であっても、ガラスブロック壁体６と木造軸組とを強固に接合することが可能となる。そのため、建物に合わせてガラスブロックを特注する必要はなく、市販のガラスブロックを使用することができる。
【００６７】
また、本実施形態に係るガラスブロック耐力壁１によれば、寸法調整部材３１ｂを、コの字断面に形成された突条体５２の両側方縁部から該突条体の内法幅が拡がるようにテーパー部５４，５４をそれぞれ延設し、突条体５２の両側面に対してそれぞれ直角となるように、各テーパー部５４，５４の縁部から脚部５３ｂ、５３ｂをそれぞれ延設してなる鋼材で構成したならば、テーパー部５４，５４と突条体５２との弾性変形によって、数ｍｍ程度の誤差を吸収することが可能となる。
【００６８】
また、本実施形態に係るガラスブロック耐力壁１を用いた壁構造によれば、下部受け材９に接着した寸法調整部材３１ａの上端が巾木４４の高さ位置に揃うように該寸法調整部材を構成したので、巾木４４の高さとガラスブロック７との間に目地を残した状態で高さが揃うこととなり、優れた美観を確保することが可能となる。
【００６９】
本実施形態では、寸法調整部材３１ａを下部受け材９に接着するようにしたが、根太４２や床板４３の高さ関係によっては、下部受け材９を省略して土台９に直接接着するようにしてもよいし、上階であれば、胴差しや梁に直接接着するようにしてもよい。
【００７０】
また、本実施形態では、天井の存在を考慮し、ガラスブロック壁体６の高さを天井高に架け渡された中段横架材５までとしたが、吹き抜けに設ける場合、図７に示すように中段横架材５を省略するとともにガラスブロック壁体６ａの高さを胴差し４までとしてもよい。
【００７１】
また、本実施形態では、床や壁との取合いの便宜、特に床からの立ち上がりを美見栄えよくするために、また、ガラスブロックの寸法と建物内における施工部位の寸法との不一致を吸収するため、ガラスブロック壁体６，６ａと木造軸組との間に寸法調整部材３１ａ，３１ｂを介在させるようにしたが、場合によっては、これらを省略し、ガラスブロック壁体６，６ａと木造軸組とを直接、エポキシ樹脂接着剤２３で接着するようにしてもかまわない。
【００７２】
また、本実施形態では特に言及しなかったが、本発明に係るガラスブロック耐力壁及びそれを用いた壁構造は、新築工事にもリフォーム工事にも適用できることは言うまでもない。
【００７３】
また、本実施形態では、施工上の便宜を考慮し、ガラスブロックをパネル化した市販品を用いるようにしたが、パネル化することは本発明の必須要件ではなく、例えば従来のようにガラスブロックをひとつずつ積み上げるようにしてもよいし、逆に建物の施工部位の寸法を設計段階において予め把握できるので、エポキシ樹脂接着剤を用いながら、例えば幅１８２０ｍｍ程度の大型ガラスブロック壁体を工場製作することも可能である。
【００７４】
次に、本実施形態に係るガラスブロック耐力壁１の実証試験を行ったので、以下にその概要と試験結果とを説明する。
【００７５】
図８に試験体を示す。かかる試験体は、断面が１０５ｍｍ×１０５ｍｍの土台の上に同寸法の柱を９１０ｍｍピッチで３本立設するとともに、寸法調整部材を土台と柱に接着し、次いで、上述の実施形態と同じガラスブロックパネル８を上述の手順と同様にして五段に重ねる。以下、上述の実施形態で述べた施工方法に沿って試験体を製作する。なお、柱に接着した寸法調整部材は、実施形態で用いた寸法調整部材３１ｂではなく、Ｌ型の鋼材（アングル）を用いた。
【００７６】
この試験体に対し、面内せん断試験を行ったところ、壁倍率に換算して３．５４倍の強度性能を確認することができた。なお、試験方法は、ＪＩＳのＡ１４１４「建築用構成材（パネル）及びその構造部分の性能試験方法」の面内せん断試験（Ｂ）（タイロッドを用いない場合）に沿って行った。
【００７７】
図９は、上述した試験方法に基づき、試験体の上部をジャッキで水平に押し引きして壁の変位が高さの１／６００、１／３００など所定の変位量に達するまで三回ずつ繰り返す（正負交番繰り返し）という加力試験を行い、得られた荷重（ｋＮ）をＹ軸に、変形量（ｒａｄ）をＸ軸にプロットしたグラフである。
【００７８】
また、このグラフをもとに壁倍率を算出した結果を図１０に示す。
【００７９】
ちなみに、低減係数を最も厳しい数値である０．７６として上記壁倍率に乗じても、壁倍率は２．６倍にとどまり、シングル筋かい（２倍）よりずっと大きく、構造用合板を片面使用した場合（２．５倍）とほぼ同等になる。
【図面の簡単な説明】
【００８０】
【図１】本実施形態に係るガラスブロック耐力壁の正面図。
【図２】ガラスブロックパネル８同士を接着する様子を示した断面図。
【図３】木造軸組のうち、土台近傍を描いた斜視図。
【図４】土台近傍の鉛直詳細断面図。
【図５】柱の水平詳細断面図。
【図６】木造軸組のうち、中段横架材近傍を描いた斜視図。
【図７】変形例に係るガラスブロック耐力壁の正面図。
【図８】実証試験に供した試験体の正面図。
【図９】実験で得られた荷重変形性状を示すグラフ。
【図１０】壁倍率を算出した結果を示した図。
【符号の説明】
【００８１】
１                            ガラスブロック耐力壁
２                            土台（下段横架材）
３                            柱
４                            胴差し（上段横架材）
５                            中段横架材
６，６ａ                      ガラスブロック壁体
７                            ガラスブロック
８                            ガラスブロックパネル
９                            下部受け材
２２                          スペーサ
２３                          接着剤（エポキシ樹脂接着剤）
３１ａ，３１ｂ                寸法調整部材
３２，５２                    突条体
３３                          脚部
４４                          巾木
５３ｂ                        脚部
【図１】
0004616776.tif 000002
【図２】
0004616776.tif 000003
【図３】
0004616776.tif 000004
【図４】
0004616776.tif 000005
【図５】
0004616776.tif 000006
【図６】
0004616776.tif 000007
【図７】
0004616776.tif 000008
【図８】
0004616776.tif 000009
【図１０】
0004616776.tif 000010
【図９】
0004616776.tif 000011